(57)【要約】【課題】分析器用試料の準備方法及び分析器用試料のための試料準備ステーションを提供する。【解決手段】分析器用試料の準備に際し、カートリッジ３１が、試料放出位置に位置した試料放出器２のレセプタクル１８に挿入され、試料材料が、インジェクタ４１を用いて隔膜３６を通してカートリッジ３１に注入されると共に、充填材３２を通って流れた後に第１の注入器の針３５を通して放出される。空の試料容器８が溶離位置に配置され、試料放出器２が、カートリッジ３１と共に溶離位置に移動され、レセプタクル１８が、カートリッジ３１と共に保持器１７内に保持される。少なくとも１種類の溶離剤が、インジェクタ４１を用いて隔膜３６を通してカートリッジ３１に注入されると共に、第１の注入器の針３５を通して試料容器８に放出され、カートリッジ３１、試料容器８およびインジェクタ４１が自動的に取り扱われる。【選択図】図１
2007163493.tif 000002
【特許請求の範囲】
【請求項１】
分析器用試料の準備方法であって、
試料放出位置と溶離位置との間を移動可能であると共に、カートリッジ（３１）用のレセプタクル（１８）のための保持器（１７）を備えた試料放出器（２）が使用され、前記レセプタクル（１８）は前記保持器（１７）の中で移動可能であるとともに保持可能であり、前記カートリッジ（３１）は、検体を受けるための充填材（３２）と、第１の注入器の針（３５）と、カートリッジの隔膜（３６）と、運搬用ヘッド（３８）とを備え、
前記カートリッジ（３１）が、前記試料放出位置に位置した前記試料放出器（２）の前記レセプタクル（１８）に挿入され、
試料材料が、少なくとも１回インジェクタ（４１）を用いて前記カートリッジの隔膜（３６）を通して前記カートリッジ（３１）に注入されると共に、前記充填材（３２）を通って流れた後に前記第１の注入器の針（３５）を通して放出され、
空の試料容器（８）が前記溶離位置に配置され、
前記試料放出器（２）が、前記詰まったカートリッジ（３１）と共に前記溶離位置に移動され、前記レセプタクル（１８）が、前記カートリッジ（３１）と共に前記試料放出器（２）の前記保持器（１７）内に保持され、
少なくとも１種類の溶離剤が、少なくとも１回インジェクタ（４１）を用いて前記カートリッジの隔膜（３６）を通して前記カートリッジ（３１）に注入されると共に、前記第１の注入器の針（３５）を通して前記試料容器（８）に放出され、
前記カートリッジ（３１）、試料容器（８）およびインジェクタ（４１）が自動的に取り扱われることを特徴とする、分析器用試料の準備方法。
【請求項２】
外部連結部分（３０）に連結されたさらなる注入器の針（２８）を担持する前記レセプタクル（１８）および容器の隔膜（６）を備える試料容器（８）が使用され、前記容器の隔膜（６）が、前記詰まったカートリッジ（３１）と共に前記試料放出器（２）が前記溶離位置に移動する間に前記２つの注入器の針（３５、２８）で孔あけされることを特徴とする請求項１に記載の分析器用試料の準備方法。
【請求項３】
前記カートリッジ（３１）の前記充填材（３２）が、前記試料材料の注入の前に少なくとも１種類の溶剤を注入することによって調整されることを特徴とする請求項１または２に記載の分析器用試料の準備方法。
【請求項４】
前記試料材料が、前記インジェクタ（４１）を介して試料容器から取り出されることを特徴とする請求項１乃至３のうちいずれか一項に記載の分析器用試料の準備方法。
【請求項５】
前記試料材料が、前記インジェクタ（４１）を用いてスルーフローセルから取り出されることを特徴とする請求項１乃至３のうちいずれか一項に記載の分析器用試料の準備方法。
【請求項６】
注入器またはポンプによって供給される注入針が、インジェクタ（４１）として使用されることを特徴とする請求項１乃至５のうちいずれか一項に記載の分析器用試料の準備方法。
【請求項７】
試料の放出後、前記カートリッジ（３１）の前記充填材（３２）が乾燥させられることを特徴とする請求項１乃至６のうちいずれか一項に記載の分析器用試料の準備方法。
【請求項８】
前記試料容器（８）によって受けられた前記溶離された試料が、乾燥されることを特徴とする請求項１乃至７のうちいずれか一項に記載の分析器用試料の準備方法。
【請求項９】
前記乾燥された試料が、前記インジェクタを用いて注入された溶剤で再度処理されることを特徴とする請求項８に記載の分析器用試料の準備方法。
【請求項１０】
前記試料および前記溶剤が、処理のために混合するように動かされることを特徴とする請求項９に記載の分析器用試料の準備方法。
【請求項１１】
前記試料容器（８）が揺さぶられることを特徴とする請求項１０に記載の分析器用試料の準備方法。
【請求項１２】
分析器用試料のための試料準備ステーションであって、
試料放出位置と溶離位置との間を移動可能であると共に、カートリッジ（３１）用のレセプタクル（１８）のための保持器（１７）を備えた試料放出器（２）であって、前記レセプタクル（１８）が前記保持器（１７）の中で移動可能であるとともに保持可能であり、前記カートリッジ（３１）が、出口側に設けた第１の注入器の針（３５）と、入口側に設けたカートリッジの隔膜（３６）及び運搬用ヘッド（３８）と、検体を受けるための充填材（３２）とを備えた試料放出器（２）と、
少なくとも１つのインジェクタ（４１）と、
カートリッジ（３１）および少なくとも１つのインジェクタ（４１）および前記試料容器（８）を取り扱うのに用いることができる少なくとも１つの自動取扱装置とを備えることを特徴とする試料準備ステーション。
【請求項１３】
前記レセプタクル（１８）が、外部連結部分（３０）に連結されているさらなる注入器の針（２８）を担持することを特徴とする請求項１２に記載の試料準備ステーション。
【請求項１４】
前記試料放出器（２）がスライド様の方式で前記試料放出位置と前記溶離位置の間を移動可能であることを特徴とする請求項１２または１３に記載の試料準備ステーション。
【請求項１５】
前記レセプタクル（１８）は、その保持器（１７）の中に押し入れ可能であるとともにばねの力に逆らって保持可能であることを特徴とする請求項１２乃至１４のうちいずれか一項に記載の試料準備ステーション。
【請求項１６】
前記レセプタクル（１８）は、その保持器（１７）の中に押入れ可能であるとともに前記カートリッジ（３１）を用いて保持可能であることを特徴とする請求項１５に記載の試料準備ステーション。
【請求項１７】
前記レセプタクル（１８）が、カートリッジ（３１）の導入の結果前記保持器（１７）内の溝（２４）に押し入れ可能な少なくとも１つのボール（２５）を担持することを特徴とする請求項１２乃至１６のうちいずれか一項に記載の試料準備ステーション。
【請求項１８】
放出用漏斗（１６）が、前記試料放出位置に配置されることを特徴とする請求項１２乃至１７のうちいずれか一項に記載の試料準備ステーション。
【請求項１９】
試料容器（８）のための容器保持器（５）が、前記溶離位置に配置されていることを特徴とする請求項１２乃至１８のうちいずれか一項に記載の試料準備ステーション。
【請求項２０】
前記容器保持器（５）が加熱可能であることを特徴とする請求項１９に記載の試料準備ステーション。
【請求項２１】
前記容器保持器（５）に受けられている試料容器（８）内に含まれる前記試料が混合可能であることを特徴とする請求項１２乃至２０のうちいずれか一項に記載の試料準備ステーション。
【請求項２２】
前記容器保持器（５）が揺さぶり可能であることを特徴とする請求項２１に記載の試料準備ステーション。
【請求項２３】
前記容器保持器（５）は、上側の端部でカルダン方式で支持されと共に、その下側には偏心したドライブ（９、１０、１１）を有することを特徴とする請求項２２に記載の試料準備ステーション。
【発明の詳細な説明】
【技術分野】
【０００１】
本発明は、分析器用試料の準備方法及びそのための試料準備ステーションに関する。
【背景技術】
【０００２】
検体の吸着および／または吸収のために充填材が中に設置されたカートリッジを使用することが知られている。充填材には各試料材料が流れるように誘導され、後ほどそれぞれの分析器例えば液体またはガスクロマトグラフを用いて定性的におよび／または定量的に検体を分析する。しかしこれには複雑な手動操作を必要とする。
引用文献１は、分析器用試料の取扱装置であって、互いに垂直である３つの軸に沿って移動可能であるグリッパを備え、そのグリッパを用いて例えば異なる様々な注入器などの異なるサンプラおよび運搬用ヘッドを備えた試料チューブをも取り扱うことができる分析器用試料の取扱装置を開示している。
【特許文献１】ドイツ特許第１０２１９７９０号明細書（ＤＥ１０２１９７９０Ｃ１）
【発明の開示】
【発明が解決しようとする課題】
【０００３】
本発明の目的は、分析器用試料の準備方法及びそのための試料準備ステーションを提供することにあり、調査しようとする試料の物質を充填材上で濃縮するために、自動化された方式で、比較的大きな液体容積であっても充填材を介して案内することを可能にしている。
【課題を解決するための手段】
【０００４】
上記目的を達成するために、本発明のうち請求項１に係る分析器用試料の準備方法は、分析器用試料の準備方法であって、試料放出位置と溶離位置との間を移動可能であると共に、カートリッジ（３１）用のレセプタクル（１８）のための保持器（１７）を備えた試料放出器（２）が使用され、前記レセプタクル（１８）は前記保持器（１７）の中で移動可能であるとともに保持可能であり、前記カートリッジ（３１）は、検体を受けるための充填材（３２）と、第１の注入器の針（３５）と、カートリッジの隔膜（３６）と、運搬用ヘッド（３８）とを備え、前記カートリッジ（３１）が、前記試料放出位置に位置した前記試料放出器（２）の前記レセプタクル（１８）に挿入され、試料材料が、少なくとも１回インジェクタ（４１）を用いて前記カートリッジの隔膜（３６）を通して前記カートリッジ（３１）に注入されると共に、前記充填材（３２）を通って流れた後に前記第１の注入器の針（３５）を通して放出され、空の試料容器（８）が前記溶離位置に配置され、前記試料放出器（２）が、前記詰まったカートリッジ（３１）と共に前記溶離位置に移動され、前記レセプタクル（１８）が、前記カートリッジ（３１）と共に前記試料放出器（２）の前記保持器（１７）内に保持され、少なくとも１種類の溶離剤が、少なくとも１回インジェクタ（４１）を用いて前記カートリッジの隔膜（３６）を通して前記カートリッジ（３１）に注入されると共に、前記第１の注入器の針（３５）を通して前記試料容器（８）に放出され、前記カートリッジ（３１）、試料容器（８）およびインジェクタ（４１）が自動的に取り扱われることを特徴としている。
【０００５】
本発明のうち請求項２に係る分析器用試料の準備方法は、請求項１に記載の分析器用試料の準備方法において、外部連結部分（３０）に連結されたさらなる注入器の針（２８）を担持する前記レセプタクル（１８）および容器の隔膜（６）を備える試料容器（８）が使用され、前記容器の隔膜（６）が、前記詰まったカートリッジ（３１）と共に前記試料放出器（２）が前記溶離位置に移動する間に前記２つの注入器の針（３５、２８）で孔あけされることを特徴としている。
【０００６】
本発明のうち請求項３に係る分析器用試料の準備方法は、請求項１または２記載の分析器用試料の準備方法において、前記カートリッジ（３１）の前記充填材（３２）が、前記試料材料の注入の前に少なくとも１種類の溶剤を注入することによって調整されることを特徴としている。
本発明のうち請求項４に係る分析器用試料の準備方法は、請求項１乃至３のうちいずれか一項に記載の分析器用試料の準備方法において、前記試料材料が、前記インジェクタ（４１）を介して試料容器から取り出されることを特徴としている。
【０００７】
本発明のうち請求項５に係る分析器用試料の準備方法は、請求項１乃至３のうちいずれか一項に記載の分析器用試料の準備方法において、前記試料材料が、前記インジェクタ（４１）を用いてスルーフローセルから取り出されることを特徴としている。
本発明のうち請求項６に係る分析器用試料の準備方法は、請求項１乃至５のうちいずれか一項に記載の分析器用試料の準備方法において、注入器またはポンプによって供給される注入針が、インジェクタ（４１）として使用されることを特徴としている。
【０００８】
本発明のうち請求項７に係る分析器用試料の準備方法は、請求項１乃至６のうちいずれか一項に記載の分析器用試料の準備方法において、試料の放出後、前記カートリッジ（３１）の前記充填材（３２）が乾燥させられることを特徴としている。
本発明のうち請求項８に係る分析器用試料の準備方法は、請求項１乃至７のうちいずれか一項に記載の分析器用試料の準備方法において、前記試料容器（８）によって受けられた前記溶離された試料が、乾燥されることを特徴としている。
【０００９】
本発明のうち請求項９に係る分析器用試料の準備方法は、請求項８に記載の分析器用試料の準備方法において、前記乾燥された試料が、前記インジェクタを用いて注入された溶剤で再度処理されることを特徴としている。
本発明のうち請求項１０に係る分析器用試料の準備方法は、請求項９に記載の分析器用試料の準備方法において、前記試料および前記溶剤が、処理のために混合するように動かされることを特徴としている。
本発明のうち請求項１１に係る分析器用試料の準備方法は、請求項１０に記載の分析器用試料の準備方法において、前記試料容器（８）が揺さぶられることを特徴としている。
【００１０】
本発明のうち請求項１２に係る分析器用試料のための試料準備ステーションは、分析器用試料のための試料準備ステーションであって、試料放出位置と溶離位置との間を移動可能であると共に、カートリッジ（３１）用のレセプタクル（１８）のための保持器（１７）を備えた試料放出器（２）であって、前記レセプタクル（１８）が前記保持器（１７）の中で移動可能であるとともに保持可能であり、前記カートリッジ（３１）が、出口側に設けた第１の注入器の針（３５）と、入口側に設けたカートリッジの隔膜（３６）及び運搬用ヘッド（３８）と、検体を受けるための充填材（３２）とを備えた試料放出器（２）と、少なくとも１つのインジェクタ（４１）と、カートリッジ（３１）および少なくとも１つのインジェクタ（４１）および前記試料容器（８）を取り扱うのに用いることができる少なくとも１つの自動取扱装置とを備えることを特徴としている。
【００１１】
本発明のうち請求項１３に係る分析器用試料のための試料準備ステーションは、請求項１２に記載の分析器用試料のための試料準備ステーションにおいて、前記レセプタクル（１８）が、外部連結部分（３０）に連結されているさらなる注入器の針（２８）を担持することを特徴としている。
本発明のうち請求項１４に係る分析器用試料のための試料準備ステーションは、請求項１２または１３に記載の試料準備ステーションにおいて、前記試料放出器（２）がスライド様の方式で前記試料放出位置と前記溶離位置の間を移動可能であることを特徴としている。
【００１２】
本発明のうち請求項１５に係る分析器用試料のための試料準備ステーションは、請求項１２乃至１４のうちいずれか一項に記載の試料準備ステーションにおいて、前記レセプタクル（１８）は、その保持器（１７）の中に押し入れ可能であるとともにばねの力に逆らって保持可能であることを特徴としている。
本発明のうち請求項１６に係る分析器用試料のための試料準備ステーションは、請求項１５に記載の試料準備ステーションにおいて、前記レセプタクル（１８）は、その保持器（１７）の中に押入れ可能であるとともに前記カートリッジ（３１）を用いて保持可能であることを特徴としている。
【００１３】
本発明のうち請求項１７に係る分析器用試料のための試料準備ステーションは、請求項１２乃至１６のうちいずれか一項に記載の試料準備ステーションにおいて、前記レセプタクル（１８）が、カートリッジ（３１）の導入の結果前記保持器（１７）内の溝（２４）に押し入れ可能な少なくとも１つのボール（２５）を担持することを特徴としている。
本発明のうち請求項１８に係る分析器用試料のための試料準備ステーションは、請求項１２乃至１７のうちいずれか一項に記載の試料準備ステーションにおいて、放出用漏斗（１６）が、前記試料放出位置に配置されることを特徴としている。
【００１４】
本発明のうち請求項１９に係る分析器用試料のための試料準備ステーションは、請求項１２乃至１９のうちいずれか一項に記載の試料準備ステーションにおいて、試料容器（８）のための容器保持器（５）が、前記溶離位置に配置されていることを特徴としている。
本発明のうち請求項２０に係る分析器用試料のための試料準備ステーションは、請求項１９に記載の試料準備ステーションにおいて、前記容器保持器（５）が加熱可能であることを特徴としている。
【００１５】
本発明のうち請求項２１に係る分析器用試料のための試料準備ステーションは、請求項１２乃至２０のうちいずれか一項に記載の試料準備ステーションにおいて、前記容器保持器（５）に受けられている試料容器（８）内に含まれる前記試料が混合可能であることを特徴としている。
本発明のうち請求項２２に係る分析器用試料のための試料準備ステーションは、請求項２１に記載の試料準備ステーションにおいて、前記容器保持器（５）が揺さぶり可能であることを特徴としている。
本発明のうち請求項２３に係る分析器用試料のための試料準備ステーションは、請求項２２に記載の試料準備ステーションにおいて、前記容器保持器（５）は、上側の端部でカルダン方式で支持されと共に、その下側には偏心したドライブ（９、１０、１１）を有することを特徴としている。
【発明の効果】
【００１６】
本発明に係る分析器用試料の準備方法及び分析器用試料のための試料準備ステーションによれば、自動的な方式で比較的大きな液体容積からでさえ検体を濃縮することができる、充填材を伴う、あるいは１回限りのセルフパッキング用のものとして、市販のカートリッジを使用することができるようになる。
本発明のさらなる実施形態は、下記説明および従属請求項から明らかになろう。
下記に本発明を、添付図に図示された例示的実施形態を参考により詳細に説明する。
【発明を実施するための最良の形態】
【００１７】
図１および図２に図示する試料準備ステーションは、２つの位置の間をレール４に沿ってローラ３を介して移動可能（または旋回可能、但し図示せず）であるスライド形をした試料放出器２を伴うマウント即ちスタンド１を備える。これらの位置の１つは試料放出位置として使用され、他方は溶離位置として使用される。溶離位置に設置されているのは、この例示的実施形態では隔膜６を保持するキャップ７を備えるガラスビンである試料容器８を受けるためのトラフ状の容器保持器５である。
【００１８】
溶離位置にあるそれぞれの試料容器８内に収集されている試料は揺さぶることができるようにされており好都合である。このために試料容器８が磁気攪拌要素を含み、攪拌要素の攪拌動作を生成するために交流磁界を生成する装置が、容器保持器５の下方に配置されるようにされることもある。かき混ぜまたは攪拌は超音波を用いて実施することもある。
【００１９】
さらに容器保持器５の揺さぶりおよびその結果として、前記容器保持器５が受ける試料容器８内の試料の揺さぶりがなされることもある。この目的のために、容器保持器５は、その上側端部でカルダン方式で支持され、電気モータ９によって駆動されることができる。動作中、電気モータ９は、電気モータ９のシャフト上に偏心して配置されているボール１０を制御された速度で駆動するが、そのボール１０が容器保持器５の底部下方の中央にある中空ジャーナル１１に配置されている。容器保持器５はその上側端部がカルダン支持になっているので、ボール１０の偏心している配置を介して容器保持器５およびその結果として容器保持器５の中に設置されている試料容器８に回転旋回運動を与える。
【００２０】
カルダン支持は、互いに１８０°対向して配置されている２つの軸１３を介してスタンド１に装着され、その上に容器保持器５が、それに対して９０°オフセットしている２つのさらなる軸１３を介して装着されている上反りリング１２を介して生ずることができる。
試料材料を試料容器８内で蒸発させ、適切な場合には誘導体化するために容器保持器５を例えば加熱コイル１４の形態の加熱装置で囲むと好都合である。
試料放出位置に設置されているのは、その下側端部に放出用ラインを連結することができる放出用漏斗１６をもつ保持器１５である。適切な場合には、放出用漏斗１６を隔膜をもつインレット側に設けてもよい。
【００２１】
試料放出器２は、レセプタクル１８用のスリーブ形状の保持器１７を備えている。レセプタクル１８は、頂部側でプレート１９に連結されており、一方試料放出器２の底板２０上にはばね２２を受容している複数のシリンダ２１が配置されている。ばね２２は、その底側で支持され、頂部側ではプレート１９でまたはプレート１９によって担持されたガイドインサート２３で支持されている。これにより、ばね２２は、レセプタクル１８に底板２０から離れる方向にプレストレスをかけている。保持器１７は、その内側に周辺溝２４を備え、一方レセプタクル１８は、溝２４内に押し入れられてレセプタクル１８を保持器１７内に保持することができるボール２５を捕捉的に受容している。さらに、レセプタクル１８は、底側部パッセージオリフィス２６にまで狭くなる内部空間２７を備えると共に注入器の針２８を担持している。注入器の針２８は、底側部で突出すると共に、保持器１７の垂直溝２９を通して外向きに突出している連結部分３０に連結されている。この場合、溝２９の上側端部は、同時にばね２２によって上向きに押圧されている保持されていないレセプタクル１８に対してストップとして働く。
【００２２】
レセプタクル１８は、注入器本体の形態をし、かつ、例えばガラスまたはプラスチックから成るカートリッジ３１を受容する機能を有している。カートリッジ３１は、その中に吸着および／または吸収材料の充填材３２を受け、その延長部３３は注入器の針３５を伴う付属品３４を受けている。注入器の針３５の反対側の端部では、カートリッジ３１は、インサート３７を用いて閉鎖されている。インサート３７は、カートリッジ３１の内側壁に密封的に当接すると共に、カートリッジの隔膜３６によって覆われた中央オリフィスを有し、かつ、外向きに延びている運搬用ヘッド３８を担持している。
【００２３】
カートリッジ３１は、レセプタクル１８内に挿入することができ、付属品３４がボール２５（そのボールは、レセプタクル１８が保持器１７内で対応位置にまで押し込まれていると、溝２４にラッチする）を外向きに押している。運搬用ヘッド３８を介してカートリッジ３１を引き上げることによって、ボール２５はばね２２により再度溝２４から押し出され、レセプタクル１８は、連結部品３０が溝２９内で当接するまで上向きに押される。
【００２４】
互いに直角である３つの軸に沿って移動可能であるグリッパ４０を備え、それを用いて運搬用ヘッド３８を備えるカートリッジ３１を取り扱うことができる自由にプログラムできる自動取扱装置３９が引用文献１に説明されている。取扱装置３９のグリッパ４０が試料容器８を保持するために設計されていれば、あるいはグリッパが保持を目的として、例えば挿入された永久磁石を備へており、その永久磁石がその磁化可能なキャップ７を介して試料容器８を保持することができれば、磁化可能なキャップ７をもつ試料容器８でも取り扱うことができる。適切であれば、試料容器８のために例えば回転することによってグリッパ４０と交換可能なさらなるグリッパ、あるいは第２の取扱装置を使用することもある。
【００２５】
手順は次いで下記の通りである：
先ず、これまでのところカートリッジ３１は使い捨て材料として準備され、マガジン内に格納される。これは、それら注入器の針３５がマガジン内に設置されている隔壁を貫通するように好都合に行われ、それによってカートリッジ３１は密封方式で受けられる。適切であればカートリッジ３１の充填材３２の上のデッドスペースは減少される。
取扱装置３９を用いることによって、マガジンから取り外されたカートリッジ３１は試料放出位置にある試料放出器２のレセプタクル１８（レセプタクル１８は保持されている）に挿入される。
【００２６】
その後、先ずカートリッジの隔膜３６を通してカートリッジ３１に溶剤を注入し、注射注入器（ｉｎｊｅｃｔｉｏｎ  ｓｙｒｉｎｇｅ）であるインジェクタ４１あるいはポンプ例えばホースポンプまたは同等物に連結された注入針（ｉｎｊｅｃｔｉｏｎ  ｎｅｅｄｌｅ）を用いて、溶剤を注入器の針３５を通して放出用漏斗１６に移すことによって、カートリッジ３１または充填材３２の調整が好都合に実行される。適切であればインジェクタ４１を通して一連の瓶それぞれから取り出したさらなる溶剤でこの手順を続けることもある。
【００２７】
続いて、試料材料をそれぞれの容器、例えばガラスビンまたはスルーフローセルから同じまたは他のインジェクタ４１を用いて取り出し、その試料材料をカートリッジの隔膜３６を通してカートリッジ３１に注入することによって試料の放出が実施される。インジェクタ４１として注射注入器が使用されたときであっても試料材料のそれぞれの量が充填材３２を通って流れるのを可能にするために、この試料放出が数回実行されることもある。充填材３２に吸着および／または吸収された検体は、充填材３２上に残るが、残りは注入針３５を通過して放出用漏斗１６に入る。
【００２８】
充填材３２は、適切である場合には、試料放出の前および／または後に、また適切である場合には、加熱した不活性ガスを導き通すことによって乾燥させられることもある。これはインジェクタ４１の注入針を介して行われることもある。例えば注射注入器がインジェクタ４１として使用される場合には、その上でガスの進入を図るために注射注入器のピストン４１ａが引き込められなくてはならない横方向のガス連結４２を有しなければならないこともある。これは、自動的にそれぞれにプログラムされた方式で取扱装置３９を用いて実行されることもある。
【００２９】
試料容器８は、取扱装置３９を用いて溶離位置に配置される。
試料放出位置で試料の放出が終了し、試料容器８が溶離位置にあるとカートリッジ３１は取扱装置３９によって、レセプタクル１８が保持器１７との保持から解放されるまで引き上げられ、それによって注入器の針２８、３５が引き戻され、したがって試料放出器２は溶離位置に移動することができる。
【００３０】
試料放出器２が、溶離位置で試料容器８の上にその位置を取ると、カートリッジ３１は検体の詰まった充填材３２と共に取扱装置３９を用いてレセプタクル１８内に押し込まれ、その結果レセプタクル１８がその保持器１７に押し込まれて保持される。それによって注入器の針２８、３５が試料容器８の隔膜６を貫通する。
インジェクタ４１を用いて溶離剤が、カートリッジ隔膜３６を通して、適切であれば何回かに分けて、また適切な場合には異なる溶剤の形態でもカートリッジ３１に注入され、その結果溶離剤は充填材３２を通って流れて検体を積み込み、注入器の針３５を通過して試料容器８に入る。試料容器８に含まれているガス容積は第２の注入器の針２８および連結部分３０を通して流出することができる。
【００３１】
この場合もやはり適切であれば、乾燥動作がその後に続くこともありこのとき例えばカートリッジ３１を抜き取っておき、試料容器８内にインジェクタ４１の注入針を介して不活性ガスを導入し、このガスをインジェクタ４１を用いてレセプタクル１８を介して試料容器８に押し入れた注入器の針２８を再度介して放出する。この場合溶剤の蒸発を助長する目的のために試料容器８を加熱装置１４を用いて加熱することもある。乾燥動作中、適切であれば真空のたすけを借りて連結部分３０を介して空気除去を行うこともある。
【００３２】
次いで、試料容器８内に残留している検体をもう１度インジェクタ４１から溶剤を供給して処理する必要があることもある。この目的のために試料容器８は電気モータ９を用いて揺さぶることができ、あるいは試料容器８内の材料は磁気的にまたは超音波によりかき混ぜることができる。誘導体化ステップがその後に続くこともある。
その後試料容器８は、後に特にクロマトグラフによる分析のために試料材料を取り出すためにマガジン内に配置することができ、あるいは取扱装置３９によって取り扱われる取り外し可能な注入器を用いて試料材料は直接隔膜６を通して取り出し分析器へ供給することができる。
【図面の簡単な説明】
【００３３】
【図１】本発明に係る試料準備ステーションの一実施形態を詳細な形で示した断面図である。
【図２】図１の試料準備ステーションを９０°回転させて見通す詳細な形で示した断面図である。
【図３】調整動作中の図１の試料準備ステーションを示す図である。
【符号の説明】
【００３４】
１  スタンド
２  試料放出器
５  容器保持器
６  容器隔膜
７  キャップ
８  試料容器
９  電気モータ（偏心したドライブ）
１０  ボール（偏心したドライブ）
１１  中空ジャーナル（偏心したドライブ）
１２  上反りリング
１３  軸
１４  加熱装置
１５  保持器
１６  放出用漏斗
１７  保持器
１８  レセプタクル
１９  プレート
２０  底板
２１  シリンダ
２２  ばね
２３  ガイドインサート
２４  溝
２５  ボール
２６  パッセージオリフィス
２７  内部空間
２８  針
２９  溝
３０  連結部分
３１  カートリッジ
３２  充填材
３３  延長部
３４  付属品
３５  針
３６  隔膜
３７  インサート
３８  運搬用ヘッド
３９  自動取扱装置
４０  グリッパ
４１  インジェクタ
４１ａ  ピストン
４２  ガス連結
【図１】
2007163493.tif 000003
【図２】
2007163493.tif 000004
【図３】
2007163493.tif 000005